(57)【要約】【課題】接着や熱溶着を必要とせず、組み立てが容易で信頼性が高く、不要な光漏れなどを発生させないＬＥＤレンズの取り付け構造を提供する。【解決手段】発光表示孔１１から携帯電話機１の中の規定位置までＬＥＤレンズ６０を挿入するとともにガイド筒状部５０ａをＬＥＤレンズの周りに取り付ければ、接着や熱溶着を用いること無しに、ＬＥＤレンズを規定位置に固定させることができ、ＬＥＤレンズの先端にある受光端面６０ａを発光源のＬＥＤ３１の光射出面３１ａに正確かつ容易に対面させることができるとともに、不透明なガイド筒状部５０ａによって外装ケース内部の発光源の光をＬＥＤレンズの受光端面で受光してあまり漏洩させることなく発光表示孔に導出できる。【選択図】図１
0003126025.tif 000002
【実用新案登録請求の範囲】
【請求項１】
携帯型電子機器の外装ケースに穿設した発光表示孔からＬＥＤレンズを携帯型電子機器内部に延びるように配置し、ＬＥＤレンズの先端にある受光端面が外装ケース内部の発光源の光射出面に対面し、発光源の光をＬＥＤレンズの受光端面で受光して発光表示孔に導出できるようにするＬＥＤレンズの取り付け構造であって、
外装ケースの内側に取り付けられる際に、外装ケースに配置されたＬＥＤレンズの受光端面を発光源の光射出面に対向させる規定位置にガイドする不透明なガイド筒状部と、
ＬＥＤレンズの外壁から延びだすように形成され、ＬＥＤレンズがガイド筒状部によって規定位置にガイドされたときに、外装ケースの一部と係合してＬＥＤレンズを規定位置に固定する固定用係合部とを有するＬＥＤレンズの取り付け構造。
【請求項２】
請求項１に記載のＬＥＤレンズの取り付け構造において、
ガイド筒状部は、外装ケースの内側に取り付けられる際に、外装ケースに対するＬＥＤレンズの傾きを変えることにより、ＬＥＤレンズの固定用係合部が外装ケースの一部と係合してＬＥＤレンズを規定位置に固定するようにさせるＬＥＤレンズの取り付け構造。
【請求項３】
請求項２に記載のＬＥＤレンズの取り付け構造において、
ガイド筒状部は、他の取り付け部材の延長部分であるＬＥＤレンズの取り付け構造。
【考案の詳細な説明】
【技術分野】
【０００１】
本考案は、ＬＥＤレンズの取り付け構造に関し、特に、携帯型電子機器の外装ケースに穿設した発光表示孔からＬＥＤレンズを携帯型電子機器内部に延びるように配置し、ＬＥＤレンズの先端にある受光端面が外装ケース内部の発光源の光射出面に対面し、発光源の光をＬＥＤレンズの受光端面で受光して発光表示孔に導出できるようにするＬＥＤレンズの取り付け構造に関する。
【背景技術】
【０００２】
図３は、ＬＥＤレンズの取り付け構造の従来例を示す断面図、図４は、ＬＥＤレンズの取り付け構造の他の従来例を示す断面図である。図３の携帯電話機２の各部は外装ケース１１０，１２０の内部に収納されている。ＬＥＤレンズ１６０は、フランジ形状部１６０ａが外装ケース１１０の発光表示孔の周囲に当接するまで下側から挿入され、当接したところでフランジ形状部１６０ａは、接着剤１４０により外装ケース１１０の内面に接着される。組み立て完了の状態において、電気回路基板１３０に搭載されたＬＥＤ１３１の光射出面と、ＬＥＤレンズ１６０の受光端面とは、若干の間隔をあけて対面している。
【０００３】
図３のように接着剤を使用したくない場合には、図４の携帯電話機３に示されるように、ＬＥＤレンズ２６０のフランジ形状部２６０ａに貫通孔２６０ｂを設け、外装ケース２１０の内側には、貫通孔２６０ｂに対応する位置に突起部２１０ａを設けておく。ＬＥＤレンズ２６０を発光表示孔に挿入した後に、貫通孔２６０ｂから突出している突起部２１０ａを熱溶着することにより、ＬＥＤレンズ２６０を外装ケース２１０に固定する。この例の場合も、組み立てが完了すれば、電気回路基板２３０に搭載されたＬＥＤ２３１の光射出面と、ＬＥＤレンズ２６０の受光端面とは、若干の間隔をあけて対面している。
【考案の開示】
【考案が解決しようとする課題】
【０００４】
上述した従来のＬＥＤレンズの取り付け構造のうち図３のものは、接着剤の塗布を安定した品質をもって行なうことは容易でなく、また、硬化の時間が必要であり、その時間管理も煩わしい。図４のものは、熱溶着の治具を使用したり、その温度管理をしなければならず、作業者の熟練をも必要とするという問題がある。また、両例とも外装ケースの中でＬＥＤレンズがむき出しになっているので不要な光漏れを発生させるという問題もある。
【０００５】
本考案は、上述した問題点を解決するためになされたものであり、接着や熱溶着を必要とせず、組み立てが容易で信頼性が高く、不要な光漏れなどを発生させないＬＥＤレンズの取り付け構造を提供することを目的とする。
【課題を解決するための手段】
【０００６】
上述した課題を解決するため、本考案に係るＬＥＤレンズの取り付け構造は、携帯型電子機器の外装ケースに穿設した発光表示孔からＬＥＤレンズを携帯型電子機器内部に延びるように配置し、ＬＥＤレンズの先端にある受光端面が外装ケース内部の発光源の光射出面に対面し、発光源の光をＬＥＤレンズの受光端面で受光して発光表示孔に導出できるようにするＬＥＤレンズの取り付け構造であって、外装ケースの内側に取り付けられる際に、外装ケースに配置されたＬＥＤレンズの受光端面を発光源の光射出面に対向させる規定位置にガイドする不透明なガイド筒状部と、ＬＥＤレンズの外壁から延びだすように形成され、ＬＥＤレンズがガイド筒状部によって規定位置にガイドされたときに、外装ケースの一部と係合してＬＥＤレンズを規定位置に固定する固定用係合部とを有する。
【０００７】
この考案は上述のように構成されているので、発光表示孔から携帯型電子機器内部の規定位置までに延びるＬＥＤレンズを配置し、そのＬＥＤレンズの周囲にガイド筒状部を配置すれば、接着や熱溶着を用いること無しに、ＬＥＤレンズの先端にある受光端面を発光源の光射出面に正確かつ容易に対面させるように、ＬＥＤレンズを固定することができるとともに、不透明なガイド筒状部によって外装ケース内部の発光源の光をＬＥＤレンズの受光端面で受光して漏洩させることなく発光表示孔に導出できる。
【０００８】
また、この考案において、
ガイド筒状部は、外装ケースの内側に取り付けられる際に、外装ケースに対するＬＥＤレンズの傾きを変えることにより、ＬＥＤレンズの固定用係合部が外装ケースの一部と係合してＬＥＤレンズを規定位置に固定するようにさせる。したがって、外装ケースにＬＥＤレンズを取り付け、その周囲にガイド筒状部を配置し取り付ければ、ＬＥＤレンズは、傾きを変えながら自動的に規定位置に固定される。
【０００９】
さらに、この考案において、
ガイド筒状部は、他の取り付け部材の延長部分である。このような構成であれば、部材の点数が増加せず経済的である。
【考案の効果】
【００１０】
以上、詳述したように本考案によれば、発光表示孔から携帯型電子機器内部の規定位置までに延びるＬＥＤレンズを配置し、そのＬＥＤレンズの周囲にガイド筒状部を配置すれば、接着や熱溶着を用いること無しに、ＬＥＤレンズの先端にある受光端面を発光源の光射出面に正確かつ容易に対面させることができるとともに、不透明なガイド筒状部によって外装ケース内部の発光源の光をＬＥＤレンズの受光端面で受光して漏洩させることを防ぎながら発光表示孔に導出できる。
【考案を実施するための最良の形態】
【００１１】
以下、本考案の実施の形態について図面を参照しつつ説明する。図１は、この考案のＬＥＤレンズの取り付け構造の実施の形態を示す断面図、図２（ａ）ないし図２（ｃ）は図１のＬＥＤレンズの組み込み工程を説明するための断面図である。この考案が実施されている図１の携帯電話機１において、電気回路基板３０などの各部は、外装ケース１０，２０の中に収納されている。電気回路基板３０には発光源であるＬＥＤ３１が光射出面３１ａを図において上を向くように組みつけられている。
【００１２】
上部の外装ケース１０には、発光表示孔１１や複数のスピーカ用貫通孔１２などが穿設されている。また、外装ケース１０の発光表示孔１１の近辺において外装ケース１０の内側には、ガイド筒状部５０ａが配置されている。この例において、ガイド筒状部５０ａは、スピーカ４０などを保持する取り付け補助部材５０と一体的に、不透明な材料を用いて形成されている。すなわち、ガイド筒状部５０ａは、取り付け補助部材５０の一部であり、部品点数を増加させていない。ＬＥＤレンズ６０は透明の材料から形成されており、この例では、発光表示孔１１から外装ケース１０の中に図２（ａ）ないし図２（ｂ）に示すように挿入され、その後に取り付け補助部材５０が取り付けられる。
【００１３】
すなわち、上述のＬＥＤレンズ６０が外装ケース内へ挿入された際、取り付け補助部材５０のガイド筒状部５０ａがＬＥＤレンズ６０をガイドする。例えば、ＬＥＤレンズ６０が図２（ｂ）のような状態のときに、取り付け補助部材５０が取り付けられようとすると、ガイド筒状部５０ａがＬＥＤレンズ６０を図２（ｂ）の矢印Ｒで示される方向に回転させ、図２（ｃ）に示すような状態にさせる。取り付け補助部材５０が正常に取り付けられたときには、ＬＥＤレンズ６０は、図１に示されるような規定位置に固定される。そして、ＬＥＤレンズ６０が規定位置に固定されたときには、ＬＥＤレンズ６０の受光端面６０ａがＬＥＤ３１の光射出面３１ａに若干の間隔をあけて対面するようになっている。このように、ＬＥＤレンズ６０が規定位置に配置されたときに、ＬＥＤレンズ６０の受光端面６０ａがＬＥＤ３１の光射出面３１ａに間隔をあけて対面するように規定しているのがＬＥＤレンズ６０のフランジ形状部６０ｄ、固定用突起部６０ｃおよびガイド筒状部５０ａである。
【００１４】
また、上述のＬＥＤレンズ６０およびガイド筒状部５０ａが装着された後においては、ＬＥＤレンズが規定位置からずれないように、フランジ形状部６０ｄおよびガイド筒状部５０ａと協働して保持しているのが固定用突起部６０ｃである。この場合、固定用突起部６０ｃとフランジ形状部６０ｄとが固定用係合部を形成している。また、矢印Ａ，Ｂで示される方向にずれないようにしているのがガイド筒状部５０ａである。なお、ＬＥＤレンズの固定用突起部６０ｃは、図２（ｃ）に示されるように、Ａ方向（＝Ｒ方向）へのこれ以上の回転をブロックしている。
【００１５】
なお、ガイド筒状部５０ａを不透明な材料で形成したのは、ＬＥＤレンズ６０の導光筒状部６０ｂから無用なところにＬＥＤ３１からの光を漏らさないためである。したがって、目的に適合するように、ガイド筒状部５０ａは、規定位置に固定されたＬＥＤレンズ６０の受光端面６０ａの周囲から発光表示孔１１の周囲までのＬＥＤレンズ６０のほぼ全周を覆うように配置されている。
【図面の簡単な説明】
【００１６】
【図１】この考案のＬＥＤレンズの取り付け構造の実施の形態を示す断面図である。
【図２】図１のＬＥＤレンズの取り付け順序を説明するための断面図である。
【図３】ＬＥＤレンズの取り付け構造の従来例を示す断面図である。
【図４】ＬＥＤレンズの取り付け構造のもう一つの従来例を示す断面図である。
【符号の説明】
【００１７】
１  携帯電話機、１０，２０  外装ケース、１１  発光表示孔、１２  スピーカ用貫通孔、３０  電気回路基板、３１  ＬＥＤ、３１ａ  光射出面、４０  スピーカ、５０  取り付け補助部材、５０ａ  ガイド筒状部、６０  ＬＥＤレンズ、６０ａ  受光端面、６０ｂ  導光筒状部、６０ｃ  固定用突起部、６０ｄ  フランジ形状部。
【図１】
0003126025.tif 000003
【図２】
0003126025.tif 000004
【図３】
0003126025.tif 000005
【図４】
0003126025.tif 000006